(57)【要約】【課題】画質又は音質等の調整作業が簡便なコンテンツ出力装置及びコンテンツ出力方法を提供する。【解決手段】コンテンツ出力装置としてのＴＶ１は、消費電力の低減を優先するか、又は画質を優先するか等を示す情報をリモコン３で受け付け、受け付けた情報と、ＴＶ番組の内容とに応じて、ＴＶ番組の画質及び音質を各調整するための多数の調整項目夫々に点数を付与し、夫々の得点に応じて、多数の調整項目から少数の調整項目を選択する。次にＴＶ１は、選択された調整項目に設定されている調整用パラメータの変更又は維持をリモコン３で受け付け、変更又は維持された調整用パラメータに応じて、音質及び画質を音声処理部２４及び画像処理部２５で調整してから、スピーカ２６及びディスプレイ２７にて音声及び画像を出力する。提示される調整項目が少数であるため、ユーザによる調整作業は簡便である。【選択図】図１
2011223168.tif 000002
【特許請求の範囲】
【請求項１】
コンテンツデータに基づいて出力されるコンテンツの出力状態を調整するためのＮ（ＮはＮ≧２の自然数）種類の調整項目に設定されている調整用パラメータに応じて、前記コンテンツデータを処理する処理手段と、
該処理手段が処理したコンテンツデータに基づいて、前記コンテンツを出力する出力手段と
を備えるコンテンツ出力装置において、
前記出力状態を調整する場合の調整条件を受け付ける条件受付手段と、
該条件受付手段が受け付けた調整条件、及び前記コンテンツに関連する関連情報に応じて、前記調整項目夫々に付与すべき点数を演算する演算手段と、
該演算手段による演算結果の高低に応じて、ｎ（ｎはｎ≦Ｎの自然数）種類の調整項目を選択する選択手段と、
該選択手段が選択したｎ種類の調整項目に設定されている調整用パラメータの変更又は維持を受け付ける調整受付手段と
を備えることを特徴とするコンテンツ出力装置。
【請求項２】
各調整項目に設定されている調整用パラメータが変更された回数を計数する計数手段と、
ｎ≧２である場合に、前記選択手段が選択したｎ種類の調整項目が、前記計数手段の計数結果に応じた順序で、リスト状に配されている項目リスト画像を表示する表示手段と、
該表示手段に表示されている項目リスト画像に含まれている調整項目の選択を受け付ける項目受付手段と
を更に備え、
前記調整受付手段は、前記項目受付手段が選択を受け付けた調整項目に設定されている調整用パラメータの変更を受け付けるようにしてあることを特徴とする請求項１に記載のコンテンツ出力装置。
【請求項３】
前記条件受付手段は、消費電力の低減を優先するか否かを示す調整条件を受け付けるようにしてあることを特徴とする請求項１又は２に記載のコンテンツ出力装置。
【請求項４】
前記出力手段は、画像を用いてなるコンテンツを表示するようにしてあり、
前記条件受付手段は、画質を優先するか否かを示す調整条件を受け付けるようにしてあることを特徴とする請求項１から３の何れかひとつに記載のコンテンツ出力装置。
【請求項５】
コンテンツデータに基づいてコンテンツを出力するコンテンツ出力方法において、
前記コンテンツの出力状態を調整する場合の調整条件を受け付け、
受け付けた調整条件、及び前記コンテンツに関連する関連情報に応じて、前記出力状態を調整するためのＮ（ＮはＮ≧２の自然数）種類の調整項目夫々に付与すべき点数を演算し、
演算結果の高低に応じて、ｎ（ｎはｎ≦Ｎの自然数）種類の調整項目を選択し、
選択したｎ種類の調整項目に設定されている調整用パラメータの変更又は維持を受け付け、
変更又は維持された調整用パラメータに応じて、前記コンテンツデータを処理し、
処理したコンテンツデータに基づいて、前記コンテンツを出力することを特徴とするコンテンツ出力方法。
【発明の詳細な説明】
【技術分野】
【０００１】
本発明は、画像又は音声等のコンテンツを出力するコンテンツ出力装置及びコンテンツ出力方法に関する。
【背景技術】
【０００２】
近年、地上波放送、ＢＳ（Broadcasting Satellite）放送、ＣＳ(Communication Satellite )放送、又はインターネット配信等によって、動画像、静止画像、又は音声等のコンテンツが提供されている。以下では、動画像及び静止画像を区別しない場合、単に画像という。
放送されたＴＶ（テレビジョン）番組の画像及び音声を出力するＴＶ装置（以下、ＴＶという）は、一般に、画質及び音質（以下、まとめて音画質ともいう）を夫々調整する調整機能を有する。
例えば、画像の明るさに関する調整用パラメータが増減された場合、調整後の調整用パラメータに基づいて、画像の明るさが増大又は低減される。
【０００３】
ところが、調整機能によって調整される調整項目は、例えば、画像の明るさ、画像のコントラスト、及び動画像における動きの滑らかさ等、多岐にわたる。しかも、ＴＶ番組の内容（例えばジャンル）によっては、ＴＶのユーザが調整を所望する調整項目が異なる。このため、ユーザが、多数の調整項目から、調整を所望する調整項目を手動で選択し、更に、選択した調整項目に設定されている調整用パラメータを手動で増減させる調整作業は、非常に煩雑である。
【０００４】
ところで、ＴＶはＥＰＧ（Electric Program Guide）機能を有していることがある。ＥＰＧ機能を有するＴＶは、ＴＶ番組と共に放送される番組関連情報に基づいて、ＴＶ番組のタイトル及び放送日時等が記載されている電子番組表を表示する。ユーザは、表示された電子番組表を用いて、視聴を所望するＴＶ番組を選択する。
従来、調整機能とＥＰＧ機能とを有するＴＶが提案されている（特許文献１参照）。
【０００５】
特許文献１に記載されているＴＶは、キーワード（例えばＴＶ番組のジャンル）と調整用パラメータとを予め関連付けておき、番組関連情報からキーワードを自動的に抽出し、抽出したキーワードに関連付けられている調整用パラメータに基づいて、音画質を自動的に調整する。このため、ユーザが調整項目を手動で選択する必要も、調整用パラメータを手動で増減させる必要もない。
【先行技術文献】
【特許文献】
【０００６】
【特許文献１】特開２００５−９４０７２号公報
【発明の概要】
【発明が解決しようとする課題】
【０００７】
しかしながら、特許文献１に記載されているＴＶは、キーワードと調整用パラメータとが予め関連付けられているため、キーワードに関連付けられている調整用パラメータに基づいて音画質を調整した結果が、ユーザの所望する調整結果とは異なることがある。
この場合、ユーザが、多数の調整項目から、調整を所望する調整項目を手動で選択し、更に、選択した調整項目に設定されている調整用パラメータを手動で増減させる調整作業を実行しなければならない。
【０００８】
つまり、ユーザが調整用パラメータを手動で増減させれば、ユーザの所望する調整結果を確実に得ることができるが、多数の調整項目から、調整を所望する調整項目を手動で選択する調整作業が煩雑であるため、ユーザの利便性が悪い、という問題が、従来のＴＶには存在する。
【０００９】
本発明は斯かる問題を解決するためになされたものであり、その主たる目的は、コンテンツの出力状態を調整する場合の調整条件とコンテンツに関連する関連情報と基づいて、調整項目夫々を点数化し、点数に応じて選択された調整項目に設定されている調整用パラメータの変更又は維持を受け付ける構成とすることにより、コンテンツの出力状態の調整作業が簡便なコンテンツ出力装置及びコンテンツ出力方法を提供することにある。
【課題を解決するための手段】
【００１０】
本発明に係るコンテンツ出力装置は、コンテンツデータに基づいて出力されるコンテンツの出力状態を調整するためのＮ（ＮはＮ≧２の自然数）種類の調整項目に設定されている調整用パラメータに応じて、前記コンテンツデータを処理する処理手段と、該処理手段が処理したコンテンツデータに基づいて、前記コンテンツを出力する出力手段とを備えるコンテンツ出力装置において、前記出力状態を調整する場合の調整条件を受け付ける条件受付手段と、該条件受付手段が受け付けた調整条件、及び前記コンテンツに関連する関連情報に応じて、前記調整項目夫々に付与すべき点数を演算する演算手段と、該演算手段による演算結果の高低に応じて、ｎ（ｎはｎ≦Ｎの自然数）種類の調整項目を選択する選択手段と、該選択手段が選択したｎ種類の調整項目に設定されている調整用パラメータの変更又は維持を受け付ける調整受付手段とを備えることを特徴とする。
【００１１】
本発明に係るコンテンツ出力装置は、各調整項目に設定されている調整用パラメータが変更された回数を計数する計数手段と、ｎ≧２である場合に、前記選択手段が選択したｎ種類の調整項目が、前記計数手段の計数結果に応じた順序で、リスト状に配されている項目リスト画像を表示する表示手段と、該表示手段に表示されている項目リスト画像に含まれている調整項目の選択を受け付ける項目受付手段とを更に備え、前記調整受付手段は、前記項目受付手段が選択を受け付けた調整項目に設定されている調整用パラメータの変更を受け付けるようにしてあることを特徴とする。
【００１２】
本発明に係るコンテンツ出力装置は、前記条件受付手段は、消費電力の低減を優先するか否かを示す調整条件を受け付けるようにしてあることを特徴とする。
【００１３】
本発明に係るコンテンツ出力装置は、前記出力手段は、画像を用いてなるコンテンツを表示するようにしてあり、前記条件受付手段は、画質を優先するか否かを示す調整条件を受け付けるようにしてあることを特徴とする。
【００１４】
本発明に係るコンテンツ出力方法は、コンテンツデータに基づいてコンテンツを出力するコンテンツ出力方法において、前記コンテンツの出力状態を調整する場合の調整条件を受け付け、受け付けた調整条件、及び前記コンテンツに関連する関連情報に応じて、前記出力状態を調整するためのＮ（ＮはＮ≧２の自然数）種類の調整項目夫々に付与すべき点数を演算し、演算結果の高低に応じて、ｎ（ｎはｎ≦Ｎの自然数）種類の調整項目を選択し、選択したｎ種類の調整項目に設定されている調整用パラメータの変更又は維持を受け付け、変更又は維持された調整用パラメータに応じて、前記コンテンツデータを処理し、処理したコンテンツデータに基づいて、前記コンテンツを出力することを特徴とする。
【００１５】
本発明にあっては、処理手段、出力手段、条件受付手段、演算手段、選択手段、及び調整受付手段を備えるコンテンツ出力装置が、本発明に係るコンテンツ出力方法を実現する。
条件受付手段は、コンテンツの出力状態を調整する場合の調整条件を受け付ける。ユーザは、条件受付手段による調整条件の受付時に、調整条件を条件受付手段に与える。このように、調整条件とはユーザから与えられるものであるため、調整条件は、ユーザの個人的な要望を示す情報である。
【００１６】
演算手段は、条件受付手段が受け付けた調整条件と、コンテンツに関連する関連情報とに応じて、Ｎ種類の調整項目夫々に付与すべき点数を演算する。ここで、ＮはＮ≧２の自然数である。また、関連情報は、コンテンツの内容を示す情報である。
【００１７】
例えば、音質を重視するユーザは、コンテンツのジャンルを問わず、音質が高くなるように調整用パラメータを増減させる傾向にあるが、音質を重視しないユーザは、コンテンツのジャンルが音楽番組である場合のみ、音質が高くなるように調整用パラメータを増減させる傾向にある。従って、この例では、関連情報とは、コンテンツのジャンルを示す情報であり、調整条件とは、ユーザが音質を重視するか否かを示す情報である。
【００１８】
そして、調整条件が、音質を重視する（又は重視しない）ことを示している場合、演算手段は、コンテンツのジャンルを問わず（又はコンテンツのジャンルが音楽番組である場合のみ）、音質を調整するための調整項目が次の選択手段によって選択され易くなるような点数を、各調整項目に付与する。
選択手段は、演算手段による演算結果（即ち、各調整項目に付与されている点数）の高低に応じて、ｎ種類の調整項目を選択する。ここで、ｎはｎ≦Ｎの自然数である。即ち、選択手段が選択する調整項目の種類数ｎは、全調整項目の種類数Ｎ以下である。
【００１９】
調整受付手段は、選択手段が選択したｎ種類の調整項目に設定されている調整用パラメータの変更又は維持を受け付ける。このとき、ユーザは、ｎ種類の調整項目から、調整を所望するｍ種類の調整項目を手動で選択し、更に、選択したｍ種類の調整項目に設定されている調整用パラメータを手動で変更する（即ち増減させる）。ただし、ｍは０≦ｍ≦ｎの整数である。また、ユーザが選択しなかった｛ｎ−ｍ｝種類の調整項目に設定されている調整用パラメータは維持される。
ここで、選択手段が選択しなかった｛Ｎ−ｎ｝種類の調整項目に設定されている調整用パラメータは、維持されたものと看做せばよい。
【００２０】
処理手段は、調整受付手段が受け付けた結果に応じて、コンテンツデータを処理する。即ち、処理手段は、変更又は維持された調整用パラメータに応じて、コンテンツデータを処理する。
そして、出力手段は、処理手段が処理したコンテンツデータに基づいて、コンテンツを出力する。
この結果、コンテンツの出力状態は、確実に、ユーザの所望する出力状態となる。
【００２１】
本発明にあっては、コンテンツ出力装置が、計数手段、表示手段、及び項目受付手段を更に備える。
計数手段は、各調整項目に設定されている調整用パラメータが変更された回数を計数する。計数結果が多い調整項目は、計数結果が少ない調整項目よりも、ユーザが調整を所望する可能性が高い。
そこで、表示手段は、ｎ≧２である場合に、選択手段が選択したｎ種類の調整項目が、計数手段の計数結果に応じた順序で、リスト状に配されている項目リスト画像を表示する。
【００２２】
項目受付手段は、表示手段に表示されている項目リスト画像に含まれている調整項目の選択を受け付ける。
項目受付手段による調整項目の選択の受け付け時に、ユーザは、表示手段が表示したリスト状の項目リスト画像を視認しながら、調整を所望する調整項目を選択し、選択結果を手動で項目受付手段に与える。このとき、ユーザが調整を所望する可能性が高い調整項目ほど、ユーザが探し出し易く選択し易い位置に表示されるため、ユーザによる調整項目の選択を更に簡便にすることができる。
【００２３】
そして、調整受付手段は、項目受付手段が選択を受け付けた調整項目に設定されている調整用パラメータの変更を受け付ける。ユーザは、選択した調整項目に設定されている調整用パラメータを手動で増減させる。
【００２４】
本発明にあっては、条件受付手段が、消費電力の低減を優先するか否かを示す調整条件を受け付ける。
調整条件が、消費電力の低減を優先する（又は優先しない）ことを示している場合、演算手段は、消費電力の低減に関係が深い調整項目が、選択手段によって選択され易く（又は選択され難く）なるような点数を付与する。
【００２５】
この結果、消費電力の低減を重視するユーザに、消費電力の低減に関係が深い調整項目を提示することができる。このとき、ユーザは、消費電力の低減に関係が深い調整項目に設定されている調整用パラメータを、消費電力が低減されるように増減させることができる。調整用パラメータはユーザが手動で増減させるため、ユーザは、消費電力の低減のみを重視して増減させることも、消費電力以外の要素にも注意して（例えば画質が過度に悪化しないように注意して）増減させることも自在である。
【００２６】
一方、消費電力の低減を重視しないユーザに、消費電力の低減に関係が深い調整項目が無用に提示される不都合を抑制することができる。
以上の結果、消費電力の低減を重視するか否かに拘らず、ユーザの利便性を向上させることができる。
【００２７】
本発明にあっては、出力手段が、画像を用いてなるコンテンツを表示する。この場合、条件受付手段は、画質を優先するか否かを示す調整条件を受け付ける。
調整条件が、画質を優先する（又は優先しない）ことを示している場合、演算手段は、画質に関係が深い調整項目が、選択手段によって選択され易く（又は選択され難く）なるような点数を付与する。
【００２８】
この結果、画質を重視するユーザに、画質に関係が深い調整項目を提示することができる。このとき、ユーザは、画質に関係が深い調整項目に設定されている調整用パラメータを、好みの画質になるように増減させることができる。調整用パラメータはユーザが手動で増減させるため、ユーザは、画質のみを重視して増減させることも、画質以外の要素（例えばコンテンツデータを記録装置で記録する際に必要な記録容量の多寡）にも注意して増減させることも自在である。
【００２９】
一方、画質を重視しないユーザに、画質に関係が深い調整項目が無用に提示される不都合を抑制することができる。
以上の結果、画質を重視するか否かに拘らず、ユーザの利便性を向上させることができる。
【発明の効果】
【００３０】
本発明のコンテンツ出力装置及びコンテンツ出力方法による場合、Ｎ種類の調整項目から、ｎ種類の調整項目が選択される。この選択は、ユーザの個人的な要望を示す調整条件、及びコンテンツの内容を示す関連情報に応じたものであるため、選択された調整項目は、ユーザが調整を所望する調整項目である可能性が高い。つまり、本発明のコンテンツ出力装置は、ユーザが調整を所望する可能性が高い調整項目を厳選して提示することができる。
【００３１】
ｎ＜Ｎの場合、ユーザは、提示された少数の調整項目から、調整を所望する調整項目を手動で選択し、更に、選択した調整項目に設定されている調整用パラメータを手動で増減させる。この場合には、提示される調整項目の種類数が少ないため、調整作業は非常に簡便である。従って、本発明のコンテンツ出力装置は、ユーザの利便性を向上させることができる。
【００３２】
ｎ＝Ｎの場合とは、ユーザが全種類の調整項目の調整を所望する可能性が高い場合である。このため、Ｎ種類全ての調整項目が提示されても、ユーザの利便性が悪化する虞はない。仮に、このような場合にＮ種類未満の調整項目のみを提示すると、提示された調整項目に、ユーザが調整を所望する調整項目が含まれていない虞があるため、却ってユーザの利便性が悪化する。
【図面の簡単な説明】
【００３３】
【図１】本発明の実施の形態に係るコンテンツ出力装置として機能するＴＶの要部構成を示すブロック図である。
【図２】本発明の実施の形態に係るＴＶが備える基本点数記憶部に記憶してあるデータの一例を示す模式図である。
【図３】本発明の実施の形態に係るＴＶで実行される調整条件受付処理の手順を示すフローチャートである。
【図４】本発明の実施の形態に係るＴＶで実行される点数演算処理の手順を示すフローチャートである。
【図５】本発明の実施の形態に係るＴＶが備える演算点数記憶部に記憶してあるデータの一例を示す模式図である。
【図６】本発明の実施の形態に係るＴＶが備えるディスプレイに表示される画面の一例を示す模式図である。
【図７】本発明の実施の形態に係るＴＶが備えるディスプレイに表示される画面の他の一例を示す模式図である。
【図８】本発明の実施の形態に係るＴＶが備える調整回数記憶部に記憶してあるデータの一例を示す模式図である。
【図９】本発明の実施の形態に係るＴＶが備えるディスプレイに表示される画面の更に他の一例を示す模式図である。
【図１０】本発明の実施の形態に係るＴＶで実行される音画質調整処理の手順を示すフローチャートである。
【図１１】本発明の実施の形態に係るＴＶで実行される音画質調整処理の手順を示すフローチャートである。
【発明を実施するための形態】
【００３４】
以下、本発明を、その実施の形態を示す図面に基づいて詳述する。
【００３５】
図１は、本発明の実施の形態に係るコンテンツ出力装置として機能するＴＶ１の要部構成を示すブロック図である。
ＴＶ１は、本発明の実施の形態におけるコンテンツ出力方法を実現する。本実施の形態では、ＴＶ１が出力すべきコンテンツとして、音声及び画像を含むＴＶ番組を例示し、コンテンツの出力状態として、音質及び画質を例示する。
ＴＶ１は、ＴＶ本体２と、リモコン（リモートコントローラ）３とを備えており、調整機能とＥＰＧ機能とを有する。
リモコン３は、赤外線方式又はＲＦ（Radio Frequency ）方式等の遠隔操作装置である。以下では、リモコン３が赤外線方式である場合を説明する。
【００３６】
リモコン３は、送信部３１と、操作部３２とを備える。
操作部３２には各種操作ボタンが配されている。ユーザは、ＴＶ番組の視聴、チャンネルの選局、放送されているＴＶ番組を視聴するか、若しくは録画されたＴＶ番組を視聴するかの選択、又は、ＴＶ１における各種設定の変更等を所望する場合に、リモコン３の送信部３１をＴＶ本体２に向けた状態で、操作部３２を操作する。
ユーザが操作部３２を操作した場合、送信部３１は、赤外線を発光することによって、ＴＶ１を操作するための操作信号をＴＶ本体２へ送信する。
【００３７】
ＴＶ本体２は受像機であり、制御部２０、放送入力部２１１、チューナ２１２、信号入力部２１３、セレクタ２２、デコーダ２３、音声処理部２４、画像処理部２５、スピーカ２６、ディスプレイ２７、ＯＳＤ（On Screen Display ）処理部２８、受信部２９、及び記憶部４を備える。
制御部２０は、ＴＶ１の制御中枢であり、図示しないＲＡＭを作業領域として用い、図示しないＲＯＭに記憶されたコンピュータプログラム及びデータに従って装置各部を制御し、各種処理を実行する。
【００３８】
放送入力部２１１は、図示しない外部のアンテナに接続されている。放送入力部２１１には、ＴＶ局が放送した放送波を復調してなる放送信号が入力される。放送入力部２１１は、入力された放送信号を、チューナ２１２に与える。
放送信号を与えられたチューナ２１２は、与えられた放送信号の内、リモコン３によって選局されたチャンネルの放送信号、即ち特定の周波数帯の放送信号を番組データに変換し、変換後の番組データをセレクタ２２に与える。
【００３９】
ここで、番組データは、デジタルのストリームデータであり、番組データには、現在放送されているＴＶ番組の音声データ及び画像データ、並びに、ＴＶ番組のタイトル、放送日時、及びジャンル等、ＴＶ番組に関連する関連情報を示すデータが含まれている。
番組データの一例としては、ＭＰＥＧ（Moving Picture Experts Group）−２ＴＳ（Transport Stream）が挙げられ、関連情報を示すデータの一例としては、ＭＰＥＧ−２ＴＳに多重して送られてくる電子番組表のデータ、特にＰＳＩ（Program Specific Information）に含まれているＥＩＴ（Event Information Guide）のデータが挙げられる。
【００４０】
信号入力部２１３は、図示しないＤＶＤ（Digital Versatile Disc）プレーヤ又はＢＤ（Blu-ray Disc。登録商標）プレーヤ等の光ディスク装置に接続されている。信号入力部２１３には、光ディスク装置に装着されている光ディスクに記録されている記録データが入力される。信号入力部２１３は、入力された記録データを、セレクタ２２に与える。
ここで、記録データは、デジタルのストリームデータであり、記録データには、光ディスクに録画されているＴＶ番組の音声データ、画像データ、及び関連情報を示すデータが含まれている。
【００４１】
セレクタ２２は、与えられた番組データ及び記録データの内、リモコン３によって選択された一方を、デコーダ２３に与える。
番組データ及び記録データの一方が与えられたデコーダ２３は、与えられたものをデコードする。また、デコーダ２３は、デコード後のデータに含まれている音声データを音声処理部２４に与え、画像データを画像処理部２５に与え、関連情報を制御部２０に与える。
【００４２】
以下では、関連情報として、ＴＶ番組のジャンルが用いられる場合を例示し、ジャンルとして、スポーツ番組、ニュース番組、映画番組、音楽番組、アニメ（アニメーション）番組、及びバラエティ（バラエティショー）番組を例示する。なお、関連情報として、ＴＶ番組の放送局、タイトル、出演者、作成年、放送時間、放送開始時刻、視聴制限の有無、及び／又は特別番組であるか否か等が用いられてもよい。
【００４３】
音声処理部２４及び画像処理部２５には、音声データ及び画像データが与えられ、更に、制御部２０によって、音質を調整するための調整用パラメータ及び画像を調整するための調整用パラメータが与えられる。音声処理部２４は、与えられた調整用パラメータに応じて、与えられた音声データを処理し、処理後の音声データをスピーカ２６に与える。画像処理部２５は、与えられた調整用パラメータに応じて、与えられた画像データを処理し、処理後の画像データをディスプレイ２７に与える。
【００４４】
スピーカ２６は、与えられたデジタルの音声データをアナログの音声に変換し、変換後の音声を出力する。ディスプレイ２７は、例えば液晶表示パネルと液晶表示パネルのバックライトとを用いてなり、与えられた画像データに基づく画像を液晶表示パネルにて表示し、このとき、液晶表示パネルをバックライトで照明する。
従って、音声データ及び画像データ夫々は、本発明の実施の形態におけるコンテンツデータとして機能し、音声処理部２４及び画像処理部２５夫々は、本発明の実施の形態における処理手段として機能し、スピーカ２６及びディスプレイ２７は、本発明の実施の形態における出力手段として機能する。
【００４５】
ところで、ディスプレイ２７には、ＯＳＤ領域が設けられる場合がある。ＯＳＤ領域は、ＴＶ番組の画像の手前に重ねるようにして配される場合（後述する図６に示すＯＳＤ領域２７ａ参照）、又は、縮小表示されたＴＶ番組の画像の側部に配される場合等がある（後述する図７及び図９夫々に示すＯＳＤ領域２７ｂ参照）。
【００４６】
ＯＳＤ領域には、ＴＶ１の各種設定の現状をユーザに報知し、各種設定の変更又は維持を受け付けるための設定メニュー画像が表示される。このために、ＯＳＤ処理部２８は、ＯＳＤ領域に設定メニュー画像を表示させるためのＯＳＤデータを生成し、生成したＯＳＤデータを画像処理部２５に与える。ＯＳＤデータが与えられた画像処理部２５は、与えられたＯＳＤデータに基づいて画像データを処理し、処理後の画像データを、ディスプレイ２７に与える。このとき、ディスプレイ２７の表示領域の一部にＯＳＤ領域が設けられ、設けられたＯＳＤ領域に、与えられたＯＳＤデータに基づく設定メニュー画像が表示される。
【００４７】
ＯＳＤデータを生成するときに必要な各種データ（例えば、ＴＶ１の各種設定の現状を示すデータ）は、記憶部４に記憶されている。
制御部２０は、設定メニュー画像を表示させる場合に、各種データを記憶部４から読み出し、読み出した各種データを、ＯＳＤ処理部２８に与える。
また、制御部２０は、デコーダ２３から関連情報が与えられた場合に、与えられた関連情報を、記憶部４に上書き記憶させる。従って、記憶部４に記憶されている関連情報は、その画像がディスプレイ２７に現在表示されており、その音声がスピーカ２６から現在出力されているＴＶ番組の関連情報である。
【００４８】
受信部２９は、リモコン３の送信部３１が発光した赤外線を受光することによって、送信部３１が送信した操作信号を受信し、受信した操作信号を、制御部２０へ出力する。
操作信号が入力された制御部２０は、入力された操作信号に基づいて、リモコン３にて行なわれた操作の種類を判別する。
記憶部４は、ハードディスク又は不揮発性半導体メモリ等を用いてなる。記憶部４には、フラグ記憶部４０、パラメータ記憶部４１、基本点数記憶部４２（後述する図２も参照）、演算点数記憶部４３（後述する図５も参照）、及び調整回数記憶部４４（後述する図８も参照）が設けられている。
【００４９】
フラグ記憶部４０には、ＴＶ１の各種設定の現状を示すデータの一種であるフラグＦが記憶されている。フラグＦにセットされるデフォルト値は“０”である。
パラメータ記憶部４１は、Ｎ種類の調整項目と、各調整項目に設定されている調整用パラメータの現在値とを関連付けて記憶している。
【００５０】
制御部２０は、パラメータ記憶部４１に記憶されている調整項目の内、音質を調整するための調整項目に設定されている調整用パラメータを読み出して、読み出した調整用パラメータを、音声処理部２４に与える。同様に、制御部２０は、パラメータ記憶部４１に記憶されている調整項目の内、画質を調整するための調整項目に設定されている調整用パラメータを読み出して、読み出した調整用パラメータを、画像処理部２５に与える。
【００５１】
ただし、制御部２０が読み出す調整用パラメータは、記憶部４に記憶されている関連情報に係る調整項目に設定されている調整用パラメータである。調整用パラメータを読み出し、読み出した調整用パラメータを画像処理部２５及び音声処理部２４に与える処理は、例えば、ＴＶ本体１の電源が投入された場合に実行され、更に、記憶部４に新たな関連情報が上書き記憶される都度（即ち、ＴＶ１が出力しているＴＶ番組のジャンルが変わる都度）、実行される。
【００５２】
本実施の形態では、ＴＶ番組の音質及び／又は画質を調整するためのＮ種類の調整項目として、画像の明るさ、画像のコントラスト、動画像における動きの滑らかさ（以下、画像の滑らかさという）、画像のカラーバランス、及び音声の強弱を例示する。
Ｎ種類の調整項目の内、画像の明るさ、コントラスト、及び滑らかさ夫々に設定されている調整用パラメータは、１種類である。
【００５３】
画像の明るさに設定されている調整用パラメータが増加（又は減少）した場合、画像処理部２５は、ディスプレイ２７を構成するバックライトに印加すべき電流を増大（又は減少）させる。この結果、ディスプレイ２７のバックライトが強く（又は弱く）発光するため、ディスプレイ２７に表示される画像が全体的に明るく（又は暗く）なる。
画像のコントラストに設定されている調整用パラメータが増加（又は減少）した場合、画像処理部２５は、ディスプレイ２７に表示される画像の明るい部分が更に明るく（又は暗く）なるように画像データを処理する。この結果、ディスプレイ２７に表示される画像の明暗の差が強まる（又は弱まる）。
【００５４】
画像の滑らかさに設定されている調整用パラメータが増加（又は減少）した場合、画像処理部２５は、画像の乱れ易さの抑制よりも、動画像に含まれている各物体の動きの滑らかさを向上させることを優先（又は、動画像に含まれている各物体の動きの滑らかさを向上させることよりも、画像の乱れ易さの抑制を優先）させる。このために、画像処理部２５は、２倍速及び４倍速等の倍速駆動機能を有する。
【００５５】
２倍速（又は４倍速）駆動時の画像処理部２５は、例えば、自身に与えられた画像データが１秒間に６０コマの画像フレームを有するものである場合、自身に与えられた画像データを用いて、６０コマの画像フレームを補完する６０コマ（又は１８０コマ）の補完フレームを生成する。そして、画像処理部２５は、生成した補完フレームを画像フレーム間に挿入することによって、１２０コマ（又は２４０コマ）の画像フレームを有する画像データを生成し、生成した画像データをディスプレイ２７に与える。
【００５６】
この結果、ディスプレイ２７では、表示される物体の動きが、非倍速駆動時、２倍速駆動時、及び４倍速駆動時の順で、より滑らかになる。
ただし、補完フレームの生成及び挿入等の際に、何らかのトラブルが生じると、ディスプレイ２７に表示される画像は、非倍速駆動時、２倍速駆動時、及び４倍速駆動時の順で、より大きく乱れるようになる。
【００５７】
一方、Ｎ種類の調整項目の内、画像のカラーバランス、及び音声の強弱夫々に設定されている調整用パラメータは、複数種類である。
画像のカラーバランスには、色の濃度を調整するための調整用パラメータ、及び、色合いを調整するための調整用パラメータ等が設定されている。例えば、色の濃度を調整するための調整用パラメータが増加（又は減少）した場合、画像処理部２５は、ディスプレイ２７に表示される画像が濃く（又は薄く）なるように画像データを処理する。
【００５８】
音声の強度には、高音部の強度を調整するための調整用パラメータ、及び、低音部の強度を調整するための調整用パラメータ等が設定されている。例えば、高音部の強度を調整するための調整用パラメータが増加（又は減少）した場合、音声処理部２６は、高音部の音量が増大（又は減少）された音声がスピーカ２６から出力されるように音声データを処理する。
【００５９】
図２は、基本点数記憶部４２に記憶してあるデータの一例を示す模式図である。
基本点数記憶部４２には、ＴＶ番組のジャンル毎に、各調整項目の基本点数が記憶されている。つまり、基本点数記憶部４２に記憶されている基本点数は、関連情報に応じて、調整項目夫々に付与すべき点数である。
【００６０】
スポーツ番組の場合、画像に含まれる物体（例えばスポーツ選手）は、素早く動く。このため、スポーツ番組を視聴するユーザは、画像の滑らかさを調整する可能性が高い。一方、スポーツ番組を視聴するユーザが、画像のコントラスト及びカラーバランスを夫々調整する可能性は低い。また、スポーツ番組を視聴するユーザが、画像の明るさ及び音声の強弱を夫々調整する可能性は高いとも低いともいえない。
【００６１】
従って、スポーツ番組に係る各調整項目については、画像の滑らかさに対して、高い点数（以下、高得点という。図２の例では“＋１”）が付与され、画像のコントラスト及びカラーバランス夫々に対して、低い点数（以下、低得点という。図２の例では“−１”）が付与され、画像の明るさ及び音声の強弱夫々に対して、中程度の点数（以下、中得点という。図２の例では“０”）が付与される。
【００６２】
ニュース番組を視聴するユーザは、他のＴＶ番組を視聴する場合よりも、音質及び画質の高低に拘らない。このため、ニュース番組を視聴するユーザが、画像の滑らかさ、カラーバランス、及び音声の強弱を夫々調整する可能性は低い。一方、ニュース番組を視聴するユーザが、画像の明るさ及びコントラストを夫々調整する可能性は高いとも低いともいえない。
従って、ニュース番組に係る各調整項目については、画像の滑らかさ、カラーバランス、及び音声の強弱夫々に対して、低得点が付与され、画像の明るさ及びコントラスト夫々に対して、中得点が付与される。
【００６３】
映画番組は、他のＴＶ番組に比べて、画像が暗い。このため、映画番組を視聴するユーザは、画像の明るさを調整する可能性が高い。一方、映画番組を視聴するユーザが、画像の明るさ以外を夫々調整する可能性は高いとも低いともいえない。
従って、映画番組に係る各調整項目については、画像の明るさに対して高得点が付与され、画像のコントラスト、滑らかさ、カラーバランス、及び音声の強弱夫々に対して、中得点が付与される。
【００６４】
音楽番組を視聴するユーザは、他のＴＶ番組を視聴する場合よりも、高い音質を所望する。このため、音楽番組を視聴するユーザは、音声の強弱を調整する可能性が高い。一方、音楽番組を視聴するユーザが、音声の強弱以外を夫々調整する可能性は高いとも低いともいえない。
従って、音楽番組に係る各調整項目については、音声の強弱に対して、高得点が付与され、画像の明るさ、コントラスト、滑らかさ、及びカラーバランス夫々に対して、中得点が付与される。
【００６５】
アニメ番組を視聴するユーザが、画像の明るさ、コントラスト、及び音声の強弱を夫々調整する可能性は低い。一方、アニメ番組を視聴するユーザが、画像の滑らかさ及びカラーバランスを夫々調整する可能性は高いとも低いともいえない。
従って、アニメ番組に係る各調整項目については、画像の明るさ、コントラスト、及び音声の強弱夫々に対して、低得点が付与され、画像の滑らかさ及びカラーバランス夫々に対して、中得点が付与される。
【００６６】
バラエティ番組を視聴するユーザが、各調整項目を調整する可能性は高いとも低いともいえない。
従って、バラエティ番組に係る各調整項目については、画像の明るさ、コントラスト、滑らかさ、カラーバランス、及び音声の強弱夫々に対して、中得点が付与される。
【００６７】
なお、本実施の形態のように、ユーザによって調整される可能性が高い調整項目に高得点が付与される構成に限定されず、例えば、メーカ側がユーザに調整を奨励する調整項目に高得点が付与される構成でもよい。
また、基本点数記憶部４２に記憶される点数は、本実施の形態では所与のものであり、変更されることはない。しかしながら、ユーザがリモコン３を操作することによって、又は、ユーザによる調整項目の調整履歴に基づいて、基本点数記憶部４２に記憶される点数が変更される構成でもよい。この場合、基本点数記憶部４２に記憶される点数が変更されたときにも、後述する図４に示す点数演算処理が実行される。
【００６８】
演算点数記憶部４３の構成は、基本点数記憶部４２の構成と同様であり、演算点数記憶部４３に記憶されている点数は、基本点数記憶部４２に記憶されている点数を、音画質を調整する場合の調整条件に応じて修正したものである（図４参照）。
【００６９】
本実施の形態では、ユーザが消費電力の低減を優先していることを示す調整条件「電力優先」と、ユーザが画質を優先していることを示す調整条件「画質優先」と、ユーザが消費電力も画質も特に気にしていないか、又は、消費電力の低減及び画質の向上の両立を所望していることを示す調整条件「推奨設定」とを例示する。調整条件「電力優先」、調整条件「画質優先」、及び調整条件「推奨設定」は、ユーザによって排他的に与えられる。
【００７０】
ここで、調整条件「電力優先」は、消費電力の低減を優先することを示す調整条件であり、調整条件「画質優先」及び調整条件「推奨設定」は、消費電力の低減を優先しないことを示す調整条件である。一方、調整条件「画質優先」は、画質を優先することを示す調整条件であり、調整条件「電力優先」及び調整条件「推奨設定」は、画質を優先しないことを示す調整条件である。
【００７１】
フラグ記憶部４０に記憶されているフラグＦは、ユーザによって与えられた調整条件が３種類の何れであるかを示すものである。本実施の形態では、フラグＦ＝１は調整条件「電力優先」に対応し、フラグＦ＝２は調整条件「画質優先」に対応し、フラグＦ＝０は調整条件「推奨設定」に対応する。
消費電力の低減を優先するユーザは、画像の明るさを調整する可能性が高い。何故ならば、画像の明るさの増減は、消費電力の増減に大きな影響を与えるからである。
画質を優先するユーザは、画像のコントラスト、滑らかさ、及びカラーバランスを夫々調整する可能性が高い。
【００７２】
ところで、消費電力を大幅に低減させる場合には、画質が大幅に劣化する可能性がある。即ち、ディスプレイ２７のバックライトが弱く発光することによって、画像が暗くて見え難くなる。
逆に、画質を大幅に向上させる場合には、消費電力が大幅に増大する可能性がある。即ち、画像処理部２５が倍速駆動のための処理を実行することによって、倍速駆動のための処理を実行しない場合よりも、電力が消費される。
一方、消費電力の低減と画質の向上とを両立させる場合には、画質が大幅に劣化することも消費電力が大幅に増大することもないが、同時に、画質が大幅に向上することも消費電力が大幅に減少することもない。
【００７３】
図３は、ＴＶ１で実行される調整条件受付処理の手順を示すフローチャートである。調整条件受付処理は、ＴＶ本体２の電源が投入された場合、又は、ユーザがリモコン３にて、調整条件の変更作業を開始するための操作を行なった場合等に実行される。
制御部２０は、調整条件を受け付けるための設定メニュー画像をディスプレイ２７に表示させる（Ｓ１１）。このために、Ｓ１１における制御部２０は、フラグ記憶部４０からフラグＦを読み出し、読み出したフラグＦが示す調整条件をＯＳＤ処理部２８に与える。
【００７４】
このとき、ディスプレイ２７には、フラグＦに対応する調整条件（即ち、現在の設定状況）と、この調整条件以外の２種類の調整条件が含まれ、且つ、３種類の調整条件の何れかを選択するようユーザを促す設定メニュー画像が表示される。
【００７５】
Ｓ１１の処理終了後、制御部２０は、リモコン３にて、調整条件「電力優先」を選択するための操作がなされたか否かを判定し（Ｓ１２）、この操作がなされていない場合（Ｓ１２でＮＯ）、リモコン３にて、調整条件「画質優先」を選択するための操作がなされたか否かを判定する（Ｓ１３）。この操作がなされていない場合（Ｓ１３でＮＯ）、制御部２０は、リモコン３にて、調整条件「推奨設定」を選択するための操作がなされたか否かを判定し（Ｓ１４）、この操作がなされていない場合（Ｓ１４でＮＯ）、リモコン３にて、設定メニュー画像を消去させるための操作がなされたか否かを判定する（Ｓ１５）。この操作がなされていない場合（Ｓ１５でＮＯ）、制御部２０は、処理をＳ１２へ戻す。
【００７６】
調整条件「電力優先」を選択するための操作がなされた場合（Ｓ１２でＹＥＳ）、制御部２０は、フラグＦに“１”をセットして（Ｓ１６）、フラグＦをフラグ記憶部４０に上書き記憶させ（Ｓ１７）、ディスプレイ２７に表示されている設定メニュー画像を消去させる（Ｓ１８）。調整条件「画質優先」を選択するための操作がなされた場合（Ｓ１３でＹＥＳ）、制御部２０は、フラグＦに“２”をセットして（Ｓ１９）、処理をＳ１７へ移す。調整条件「推奨設定」を選択するための操作がなされた場合（Ｓ１４でＹＥＳ）、制御部２０は、フラグＦに“０”をセットして（Ｓ２０）、処理をＳ１７へ移す。
以上の結果、調整条件が変更される。
【００７７】
設定メニュー画像を消去させるための操作がなされた場合（Ｓ１５でＹＥＳ）、制御部２０は、処理をＳ１８へ移す。この結果、調整条件が維持される。
Ｓ１８の処理終了後、制御部２０は、調整条件受付処理を終了する。
以上のような調整条件受付処理のＳ１２〜Ｓ１５における制御部２０は、リモコン３と共に、条件受付手段として機能する。
【００７８】
図４は、本発明の実施の形態に係るＴＶ１で実行される点数演算処理の手順を示すフローチャートである。点数演算処理は、ＴＶ本体１の電源が投入された場合に実行される。
制御部２０は、演算点数記憶部４３に、基本点数記憶部４２に記憶されている点数を上書き記憶させる（Ｓ３１）。Ｓ３１の処理によって、演算点数記憶部４３に記憶される点数は全て初期化される。
次に、制御部２０は、フラグ記憶部４０からフラグＦを読み出す（Ｓ３２）。
【００７９】
更に、制御部２０は、読み出したフラグＦに“１”がセットされているか否かを判定し（Ｓ３３）、Ｆ＝１の場合（Ｓ３３でＹＥＳ）、調整条件「電力優先」に応じて、演算点数記憶部４３に記憶されている点数を修正する（Ｓ３４）。
具体的には、Ｓ３４における制御部２０は、演算点数記憶部４３に記憶されている点数の内、画像の明るさに付与されている点数を増加させる。本実施の形態では、制御部２０は、全てのジャンルに係る画像の明るさに付与されている点数に“１”を加算する。
【００８０】
つまり、Ｓ３４における制御部２０は、調整条件「電力優先」及び関連情報に応じて、各調整項目に付与すべき点数を演算する。従って、Ｓ３４における制御部２０は、本発明の実施の形態における演算手段として機能する。
Ｓ３４の処理終了後、制御部２０は、後述するＳ３７へ処理を移す。
Ｆ≠１の場合（Ｓ３３でＮＯ）、制御部２０は、読み出したフラグＦに“２”がセットされているか否かを判定し（Ｓ３５）、Ｆ＝２の場合（Ｓ３５でＹＥＳ）、調整条件「画質優先」に応じて、演算点数記憶部４３に記憶されている点数を修正する（Ｓ３６）。
【００８１】
具体的には、Ｓ３６における制御部２０は、演算点数記憶部４３に記憶されている点数の内、画像のコントラスト、滑らかさ、及びカラーバランス夫々に付与されている点数を増加させる。本実施の形態では、制御部２０は、全てのジャンルに係る画像のコントラスト、滑らかさ、及びカラーバランス夫々に付与されている点数に“１”を加算する。
つまり、Ｓ３６における制御部２０は、調整条件「画質優先」及び関連情報に応じて、各調整項目に付与すべき点数を演算する。従って、Ｓ３６における制御部２０も、本発明の実施の形態における演算手段として機能する。
【００８２】
Ｓ３６の処理終了後、制御部２０は、後述するＳ３７へ処理を移す。
Ｆ≠２の場合（Ｓ３５でＮＯ）、読み出したフラグＦには“０”がセットされているため、制御部２０は、後述するＳ３７へ処理を移す。この場合、制御部２０は、演算点数記憶部４３に記憶されている点数を増減させない。つまり、この場合の制御部２０は、調整条件「推奨設定」及び関連情報に応じて、各調整項目に付与すべき点数を演算する。従って、この場合の制御部２０も、本発明の実施の形態における演算手段として機能する。
【００８３】
次に、制御部２０は、図３に示すＳ１７の処理が実行されたか否か、即ち、新たなフラグＦが上書き記憶されたか否かを判定し（Ｓ３７）、新たなフラグＦが上書き記憶された場合には（Ｓ３７でＹＥＳ）、処理をＳ３１へ戻す。つまり、調整条件が変更される都度、各調整項目に付与すべき点数が演算される。
フラグＦが上書き記憶されていない場合（Ｓ３７でＮＯ）、即ち調整条件が変更されていない場合、制御部２０は、Ｓ３７の処理を繰り返し実行する。
なお、各調整項目に付与すべき点数の演算手順は、本発明の実施の形態で例示したものに限定されない。例えば、Ｓ３４及びＳ３５における制御部２０は、各調整項目に付与されている点数に、所定の重み係数を乗算してもよい。
【００８４】
図５は、演算点数記憶部４３に記憶してあるデータの一例を示す模式図である。ただし、図５には、図４に示すＳ３３でＹＥＳの場合に、Ｓ３４の処理が実行されることによって、ニュース番組に係る調整項目夫々に付与される点数と、Ｓ３５でＹＥＳの場合に、Ｓ３６の処理が実行されることによって、スポーツ番組に係る調整項目夫々に付与される点数と、Ｓ３５でＮＯの場合に、スポーツ番組に係る調整項目夫々に付与される点数とを例示している。
【００８５】
図２及び図５を比べればわかるように、調整条件「電力優先」の場合、ニュース番組に係る画像の明るさ、コントラスト、滑らかさ、カラーバランス、及び音声の強弱夫々に付与すべき点数は、“０”，“０”，“−１”，“−１”，“−１”から、“１”，“０”，“−１”，“−１”，“−１”に変更される。
同様に、調整条件「画質優先」の場合、スポーツ番組に係る調整項目夫々に付与すべき点数は、“０”，“−１”，“＋１”，“−１”，“０”から、“０”，“０”，“＋２”，“０”，“０”に変更される。
【００８６】
調整条件「推奨設定」の場合、スポーツ番組に係る調整項目夫々に付与すべき点数は、“０”，“−１”，“＋１”，“−１”，“０”のまま維持される。
図５に示すように、演算点数記憶部４３に記憶されている点数を参照すれば、消費電力の低減を優先するユーザは、ニュース番組を視聴するときに、画像の明るさを調整する可能性が高く、画像のコントラストを調整する可能性は高いとも低いともいえず、画像の滑らかさ、カラーバランス、及び音声の強弱を夫々調整する可能性は低いことがわかる。
【００８７】
ところで、音画質の調整を所望するユーザは、リモコン３にて、音画質の調整作業を開始するための操作を行なう。このとき、ディスプレイ２７には、まず、ユーザが所望の調整項目を選択するための設定メニュー画像が表示される。以下では、この設定メニュー画像を、項目メニュー画像という。
項目メニュー画像を視認したユーザは、リモコン３にて、調整項目を選択するための操作を行なう。この場合、ユーザは、例えば、操作部３２の矢印ボタンを押圧操作することによって、ディスプレイ２７に表示されているカーソルの表示位置を、調整を所望する調整項目の表示位置に合わせ、次に、操作部３２のＯＫボタンを押圧操作する。
【００８８】
この結果、ディスプレイ２７には、選択された調整項目に設定されている調整用パラメータを現在値から変更するための設定メニュー画像が表示される。以下では、この設定メニュー画像を、パラメータ変更画像という。
パラメータ変更画像を視認したユーザは、リモコン３にて調整用パラメータを変更するための操作を行なう。この場合、ユーザは、例えば、操作部３２の矢印ボタンを押圧操作することによって、ディスプレイ２７に表示されている調整用パラメータの数値を増減させる。
ここで、項目メニュー画像に、Ｎ種類全ての調整項目が配されている場合を考える。
【００８９】
前述したように、消費電力の低減を優先するユーザは、ニュース番組を視聴するときに、画像の滑らかさ、カラーバランス、及び音声の強弱を夫々調整する可能性は低い。従って、このようなユーザに対し、調整項目として、画像の滑らかさ、カラーバランス、及び音声の強弱を提示したとしても、無意味であるばかりか、調整を所望する調整項目（例えば画像の明るさ）をユーザが選択する妨げにもなりかねない。
【００９０】
何故ならば、調整を所望しない調整項目をも含む多種類の調整項目の中から、調整を所望する調整項目を探し出す作業は煩雑だからである。或いは、カーソルの初期位置又は現在位置と、調整を所望する調整項目の表示位置との間に、調整を所望しない多種類の調整項目が配されている場合、調整を所望する調整項目の表示位置にカーソルの表示位置を合わせるための操作が煩雑になるからである。
【００９１】
そこで、本実施の形態では、ユーザに対して提示すべき調整項目を厳選するために、それに付与されている点数が、所定の厳選閾値（本実施の形態の厳選閾値は“０”）以上である調整項目を、項目メニュー画像に配する。
この結果、ＴＶ１は、消費電力の低減を優先するユーザに対しては、ニュース番組の音画質を調整するための調整項目として、画像の明るさ及びコントラストの２種類のみを提示する。この場合、ユーザが調整を所望する可能性が低くないｎ種類の調整項目のみがユーザに対して提示されるため、ユーザは、調整を所望する調整項目を容易に選択することができる。このときの種類数ｎはｎ＝２＜Ｎである。
【００９２】
図６は、ディスプレイ２７に表示される画面の一例を示す模式図である。
図６には、表示画面の中央部に、ＯＳＤ領域２７ａが設けられている場合を例示してある。ＯＳＤ領域２７ａには、項目メニュー画像と、調整項目を選択するためのカーソル２７ｃとが表示されている。
ＯＳＤ領域２７ａに表示されている項目メニュー画像は、ニュース番組を視聴し、且つ、消費電力の低減を優先するユーザに対して提示すべきｎ種類の調整項目がリスト状に配されているものである。
項目メニュー画像には、上から順に、画像の明るさ及びコントラストが配されている。カーソル２７ｃの初期位置は、画像の明るさの表示位置である。
【００９３】
ここで、厳選閾値が“１”である場合を考える。図５を参照すればわかるように、この場合には、調整項目として、画像の明るさのみが提示される。従って、この場合には、項目メニュー画像には、ニュース番組を視聴し、且つ、消費電力の低減を優先するユーザに対して提示すべき１種類の調整項目が配される。
次に、厳選閾値が“２”である場合を考える。この場合には、調整項目が何も提示されない、という不都合が生じる。このような場合は、厳選閾値を適宜に減少させるか、又は、Ｎ種類全ての調整項目を提示すればよい。
【００９４】
図５に示すように、演算点数記憶部４３に記憶されている点数を参照すれば、消費電力の低減と画質の向上との両立を所望するユーザ、又は、消費電力及び画質について特別な要望がないユーザは、スポーツ番組を視聴するときに、画像の滑らかさを調整する可能性が高く、明るさ及び音声の強弱を夫々調整する可能性は高いとも低いともいえず、コントラスト及びカラーバランスを夫々調整する可能性は低いことがわかる。
【００９５】
従って、ＴＶ１は、それに付与されている点数が、厳選閾値以上である調整項目、即ち、画像の明るさ、滑らかさ、及び音声の強弱の３種類を、ユーザに対して提示する。この場合も、ユーザが調整を所望する可能性が低くないｎ種類の調整項目のみがユーザに対して提示されるため、ユーザは、調整を所望する調整項目を容易に選択することができる。このときの種類数ｎはｎ＝３＜Ｎである。
【００９６】
一方、画質を優先するユーザは、スポーツ番組を視聴するときに、画像の滑らかさを調整する可能性が非常に高く、明るさ、コントラスト、カラーバランス、及び音声の強弱を夫々調整する可能性は高いとも低いともいえないことがわかる。
【００９７】
従って、ＴＶ１は、それに付与されている点数が、厳選閾値以上である調整項目、即ち、画像の明るさ、コントラスト、滑らかさ、カラーバランス、及び音声の強弱の５種類を、ユーザに対して提示する。この場合も、ユーザが調整を所望する可能性が低くないｎ種類の調整項目のみがユーザに対して提示される。このときの種類数ｎはｎ＝５＝Ｎである。換言すれば、ユーザに対してＮ種類全ての調整項目が提示される。
ただし、このとき提示されるＮ種類全ての調整項目には、ユーザが調整を所望する可能性が低いものは含まれていない。このため、ユーザは、調整を所望する調整項目を容易に選択することができる。
【００９８】
図７は、ディスプレイ２７に表示される画面の他の一例を示す模式図である。
図７には、表示画面の右側部に、ＯＳＤ領域２７ｂが設けられている場合を例示してある。ＯＳＤ領域２７ｂには、項目メニュー画像と、調整項目を選択するためのカーソル２７ｃとが表示されている。
ＯＳＤ領域２７ｂに表示されている項目メニュー画像は、スポーツ番組を視聴し、且つ、画質を優先するユーザに対して提示すべきｎ種類の調整項目がリスト状に配されているものである。
【００９９】
項目メニュー画像には、上から順に、画像の明るさ、コントラスト、滑らかさ、カラーバランス、及び音声の強弱が配されている。カーソル２７ｃの初期位置は、画像の明るさの表示位置である。
ここで、ユーザの利便性を更に向上させることを考える。
【０１００】
ＴＶ１は、厳選したｎ種類の調整項目を提示するが、ユーザは、提示された調整項目の全てを調整するとは限らない。例えば、図７に示すような項目メニュー画像が、ＯＳＤ領域２７ｂに表示されている場合、画像の滑らかさの調整を所望するユーザは、カーソル２７ｃを初期位置から画像の滑らかさの表示位置まで移動させる必要がある。このとき、ユーザは、画像の明るさ及びコントラストをスキップするよう操作部３２を操作しなければならない。
【０１０１】
また、音声の強弱の調整のみを所望するユーザは、リモコン３の操作部３２を操作することによって、カーソル２７ｃを初期位置から音声の強弱の表示位置まで移動させる必要がある。このとき、ユーザは、画像の明るさ、コントラスト、滑らかさ、及びカラーバランスをスキップするよう操作部３２を操作しなければならない。
つまり、現状のままでは、操作部３２の操作が煩雑である。
【０１０２】
図８は、調整回数記憶部４４に記憶してあるデータの一例を示す模式図である。
基本点数記憶部４２には、ＴＶ番組のジャンル毎に、各調整項目に設定されている調整用パラメータが変更された回数（以下、調整回数という）が記憶されている。
【０１０３】
図８に示す基本点数記憶部４２を参照すればわかるように、スポーツ番組に関しては、画像の滑らかさに係る調整回数が最も多く、次いで音声の強弱に係る調整回数が多く、画像のコントラスト、明るさ、及びカラーバランスの順に、調整回数が少なくなる。
調整回数が多い調整項目は、ユーザが調整を所望する可能性が高い、と考えられる。
【０１０４】
図９は、ディスプレイ２７に表示される画面の他の一例を示す模式図である。
図９には、図７と同様に、表示画面の右側部に、ＯＳＤ領域２７ｂが設けられている場合を例示してある。ＯＳＤ領域２７ｂには、項目メニュー画像と、調整項目を選択するためのカーソル２７ｃとが表示されている。
ＯＳＤ領域２７ｂに表示されている項目メニュー画像は、スポーツ番組を視聴し、且つ、画質を優先するユーザに対して提示すべきｎ種類の調整項目が、図８に示す基本点数記憶部４２に記憶されている調整回数が多い順に、リスト状に配されているものである。
【０１０５】
このため、項目メニュー画像には、上から順に、画像の滑らかさ、音声の強弱、画像のコントラスト、明るさ、及びカラーバランスが配されている。カーソル２７ｃの初期位置は、画像の滑らかさの表示位置である。
従って、画像の滑らかさの調整を所望するユーザは、カーソル２７ｃを初期位置から移動させることなく、画像の滑らかさを選択することができる。
【０１０６】
また、音声の強弱の調整のみを所望するユーザは、リモコン３の操作部３２を操作することによって、カーソル２７ｃを初期位置から音声の強弱の表示位置まで移動させる必要がある。ただし、このときには、ユーザは、画像の滑らかさのみをスキップするよう操作部３２を操作すればよい。
つまり、操作部３２の操作は簡易である。
【０１０７】
なお、調整回数が同数の調整項目同士は、調整回数以外の基準に応じて配すればよい。例えば図８において、ニュース番組に係る画像の明るさ及びコントラスト夫々の調整回数は何れも２回である。この場合には、図５に示す演算点数記憶部４３を参照し、各調整項目に付与されている点数が高い順にリストアップすることが考えられる。このとき、ディスプレイ２７には、図６に示すような項目メニュー画像が表示される。
【０１０８】
また、例えば図８において、バラエティ番組に係る調整項目夫々の調整回数は何れも０回である。ここで、図２に示す基本点数記憶部４２を参照すればわかるように、調整条件「推奨設定」の場合には、各調整項目に付与されている点数は等しく０点である。この場合には、調整項目毎に、全てのジャンルに係る調整回数の合計を算出し、算出結果に応じてリストアップし、この算出結果すら同値であれば、五十音順にリストアップすることが考えられる。
【０１０９】
図１０及び図１１は、本発明の実施の形態に係るＴＶ１で実行される音画質調整処理の手順を示すフローチャートである。
図１０に示すように、制御部２０は、リモコン３にて、音画質の調整作業を開始するための操作（図中「調整作業開始操作」）が行なわれたか否かを判定し（Ｓ５１）、まだこの操作が行なわれていない場合（Ｓ５１でＮＯ）、Ｓ５１の処理を繰り返し実行する。
【０１１０】
リモコン３にて、音画質の調整作業を開始するための操作が行なわれた場合（Ｓ５１でＹＥＳ）、制御部２０は、記憶部４に記憶してある関連情報（即ち、ＴＶ１が現在出力しているＴＶ番組のジャンル）を読み出し（Ｓ５２）、読み出した関連情報に基づいて、演算点数記憶部４４を参照する（Ｓ５３）。なお、演算点数記憶部４４に記憶すべき点数の演算は、Ｓ５２で関連情報を読み出した場合に、読み出した関連情報に係る調整項目についてのみ実行されてもよい。
【０１１１】
Ｓ５３にて演算点数記憶部４４を参照した制御部２０は、次に、Ｓ５２で読み出した関連情報に係る各調整項目の点数と厳選閾値とを比較し（Ｓ５４）、比較結果に応じて、ｎ種類の調整項目を選択する（Ｓ５５）。Ｓ５５における制御部２０は、本発明の実施の形態における選択手段として機能する。
次に、制御部２０は、種類数ｎが“２”以上であるか否かを判定する（Ｓ５６）。
ｎ≧２の場合（Ｓ５６でＹＥＳ）、制御部２０は、調整回数記憶部４４を参照し（Ｓ５７）、ｎ種類の調整項目夫々の調整回数を比較し（Ｓ５８）、比較結果に応じて、ｎ種類の調整項目の配置順を決定する（Ｓ５９）。
【０１１２】
次に、制御部２０は、ｎ種類の調整項目を、Ｓ５９で決定した配置順でリスト状に配した項目メニュー画像をディスプレイ２７に表示させる（Ｓ６０）。このために、Ｓ６０における制御部２０は、ｎ種類の調整項目及びｎ種類の調整項目の配置順等を、ＯＳＤ処理部２８に与える。
ｎ＝１の場合（Ｓ５６でＮＯ）、制御部２０は、処理をＳ６０へ移して、項目メニュー画像をディスプレイ２７に表示させる。このために、Ｓ６０における制御部２０は、１種類の調整項目を、ＯＳＤ処理部２８に与える。
【０１１３】
Ｓ５６でＹＥＳの場合にＳ６０の処理が実行されることによって、ディスプレイ２７は、本発明の実施の形態における表示手段として機能する。また、このとき表示される項目メニュー画像は、本発明の実施の形態における項目リスト画像として機能する。
Ｓ６０の処理終了後、制御部２０は、図１１に示すように、リモコン３にて、調整項目を選択するための操作（図中「調整項目選択操作」）がなされたか否かを判定する（Ｓ６１）。Ｓ６１における制御部２０は、リモコン３と共に、本発明の実施の形態における項目受付手段として機能する。
【０１１４】
調整項目を選択するための操作がまだなされていない場合（Ｓ６１でＮＯ）、制御部２０は、リモコン３にて、項目メニュー画像を消去させるための操作（図中「項目メニュー画像消去操作」）がなされたか否かを判定する（Ｓ６２）。この操作がまだなされていない場合（Ｓ６２でＮＯ）、制御部２０は、処理をＳ６１へ戻す。
【０１１５】
調整項目を選択するための操作がなされた場合（Ｓ６１でＹＥＳ）、制御部２０は、選択された調整項目に設定されている調整用パラメータをパラメータ記憶部４１から読み出し（Ｓ６３）、表示中の項目メニュー画像に替えて、読み出した調整用パラメータを含むパラメータ変更画像を、ディスプレイ２７に表示させる（Ｓ６４）。このために、Ｓ６４における制御部２０は、Ｓ６３で読み出した調整用パラメータを、ＯＳＤ処理部２８に与える。
次に、制御部２０は、リモコン３にて、調整用パラメータを変更するための操作（図中「パラメータ変更操作」）がなされたか否かを判定する（Ｓ６５）。Ｓ６５における制御部２０は、リモコン３と共に、調整受付手段として機能する。
【０１１６】
調整用パラメータを変更するための操作がなされていない場合（Ｓ６５でＮＯ）、制御部２０は、リモコン３にて、パラメータ変更画像を消去させるための操作（図中「パラメータ変更画像消去操作」）がなされたか否かを判定する（Ｓ６６）。この操作がまだなされていない場合（Ｓ６６でＮＯ）、制御部２０は、処理をＳ６５へ戻す。
【０１１７】
一方、パラメータ変更画像を消去させるための操作がなされた場合（Ｓ６６でＹＥＳ）、制御部２０は、処理をＳ６０へ戻す。このとき、制御部２０は、表示中のパラメータ変更画像に替えて、項目メニュー画像を、ディスプレイ２７に表示させる。Ｓ５９の処理が行なわれていた場合、Ｓ６６でＹＥＳのときに実行されるＳ６０の処理においては、後述するＳ６９の処理が実行された後であっても、Ｓ５９で決定された配置順で、ｎ種類の調整項目がリスト状に配される。
【０１１８】
調整用パラメータを変更するための操作がなされた場合（Ｓ６５でＹＥＳ）、制御部２０は、変更後の調整用パラメータをパラメータ記憶部４１に上書き記憶させ（Ｓ６７）、更に、変更後の調整用パラメータが音質（又は画質）に関する変更後の調整用パラメータであれば、変更後の調整用パラメータを、音声処理部２４（又は画像処理部２５）へ出力する（Ｓ６８）。この結果、出力されているＴＶ番組の音画質が、ユーザの所望する音画質に変化する。
【０１１９】
Ｓ６８の処理終了後、制御部２０は、調整回数記憶部４４にて、Ｓ６１で選択された調整項目の調整回数を“１”インクリメントしてから（Ｓ６９）、処理をＳ６５へ戻す。Ｓ６９における制御部２０は、本発明の実施の形態における計数手段として機能する。
【０１２０】
なお、制御部２０は、調整用パラメータを変更するための操作がなされた後で変更後の調整用パラメータを音声処理部２４又は画像処理部２５へ出力する構成に限定されず、調整用パラメータを変更するための操作がなされる前に、調整用パラメータが増減された時点で、増減後の調整用パラメータを音声処理部２４又は画像処理部２５へ出力する構成でもよい。この場合、出力されているＴＶ番組の音画質がリアルタイムに変化するため、ユーザは、所望する音画質を更に容易に得ることができる。
【０１２１】
項目メニュー画像を消去させるための操作がなされた場合（Ｓ６２でＹＥＳ）、制御部２０は、ディスプレイ２７に表示されている項目メニュー画像を消去させてから（Ｓ７０）、処理をＳ５１へ戻す。
以上のような音画質調整処理では、Ｓ６１で選択された調整項目に設定されている調整用パラメータがＳ６５で変更される。一方、Ｓ６１で選択されなかった調整項目に設定されている調整用パラメータ、及び、Ｓ６１で調整項目が選択されたが、Ｓ６５で変更されなかった調整用パラメータは、現在値のまま維持される。
【０１２２】
以上のようなＴＶ１は、Ｎ種類の調整項目から、ｎ種類の調整項目を厳選してユーザに提示することができるため、音画質の調整作業は非常に簡便である。このため、音画質の調整作業を行なうユーザの利便性を向上させることができる。
ところで、ｎ種類の調整項目に、ユーザが調整を所望する調整項目が含まれていない場合、ＴＶ１は、ユーザによるリモコン３の操作に応じて、Ｎ種類全ての調整項目を提示すればよい。更に、ＴＶ１は、このとき調整された調整項目を次回からも提示することができるように、例えば基本点数記憶部４２に記憶されている点数を適宜修正する構成でもよく、このとき調整された調整項目は例外的に調整されたものであると看做して、次回からは提示しない構成でもよい。
【０１２３】
なお、ＴＶ１は、ＴＶ本体２とリモコン３とを備える構成に限定されるものではない。例えば、ＴＶ１は、表示装置、セットトップボックス、及びリモコン３を備える構成でもよい。この場合、表示装置が、本発明の実施の形態における出力手段を備えていればよい。そして、本発明の実施の形態における処理手段、条件受付手段、演算手段、選択手段、調整受付手段、計数手段、表示手段、及び項目受付手段夫々は、表示装置及びセットトップボックスの何れに備えられていてもよい。
【０１２４】
今回開示された実施の形態は、全ての点で例示であって、制限的なものではないと考えられるべきである。本発明の範囲は、上述した意味ではなく、特許請求の範囲と均等の意味及び特許請求の範囲内での全ての変更が含まれることが意図される。例えば、コンテンツ出力装置は、ＣＤ（Compact Disc）プレーヤ又はデジタルフォトフレーム等であってもよく、音声のみ又は画像のみを出力する構成であってもよい。
また、本発明の効果がある限りにおいて、ＴＶ１に、実施の形態に開示されていない構成要素が含まれていてもよい。
【符号の説明】
【０１２５】
１    ＴＶ（コンテンツ出力装置）
２０  制御部（条件受付手段，演算手段，選択手段，調整受付手段，計数手段，項目受付手段）
２４  音声処理部（処理手段）
２５  画像処理部（処理手段）
２６  スピーカ（出力手段）
２７  ディスプレイ（出力手段，表示手段）
３    リモコン（条件受付手段，調整受付手段，項目受付手段）
【図１】
2011223168.tif 000003
【図２】
2011223168.tif 000004
【図３】
2011223168.tif 000005
【図４】
2011223168.tif 000006
【図５】
2011223168.tif 000007
【図６】
2011223168.tif 000008
【図７】
2011223168.tif 000009
【図８】
2011223168.tif 000010
【図９】
2011223168.tif 000011
【図１０】
2011223168.tif 000012
【図１１】
2011223168.tif 000013